(57)【要約】【課題】濃度補正用チャートを構成する補正用パッチの他に、濃度補正用チャートを識別するための識別用パッチを新たに形成し、識別用パッチに濃度補正用チャートを識別する識別情報を含ませることにより、比較対象の入力値及び出力値の同一性を自動的に判断し得る画像形成装置、画像処理支援方法、及び画像処理支援システムを提供する。【解決手段】濃度補正用チャートを測色して電圧値を入力するカラーセンサと、濃度補正用チャートの濃度値を入力する入力部と、電圧値及び濃度値に基づいて、電圧値を濃度値に変換する電圧濃度変換情報を生成する制御を行う制御部と、を備え、濃度補正用チャートは、複数の補正用パッチ及び複数の識別用パッチを含み、識別用パッチは、濃度補正用チャートの種別ごとに異なる濃度値で形成され、制御部は、電圧値及び濃度値を予め定められた値で正規化して両者を比較する画像形成装置。【選択図】図１
2012089965.tif 000002
【特許請求の範囲】
【請求項１】
濃度補正用チャートを用紙に形成する画像形成部と、
前記用紙に形成された濃度補正用チャートを測色し、測色した濃度を電圧値として入力するカラーセンサと、
外部測色機により取得された前記濃度補正用チャートの濃度値を入力する入力部と、
前記電圧値及び前記濃度値に基づいて、前記電圧値を前記濃度値に変換する電圧濃度変換情報を生成し、該生成した電圧濃度変換情報を記憶媒体により記憶する制御を行う制御部と、を備えた画像形成装置であって、
前記濃度補正用チャートは、複数の補正用パッチ及び複数の識別用パッチを含み、
前記識別用パッチは、前記濃度補正用チャートの種別ごとに異なる濃度値で形成され、
前記制御部は、前記電圧値及び前記濃度値を予め定められた値で正規化し、該正規化した電圧値及び濃度値の両者を比較して、一致している場合、前記電圧値及び前記濃度値は同一の濃度補正用チャートから取得されたものであると判断する画像形成装置。
【請求項２】
前記画像形成部は、前記識別用パッチを最大濃度値で正規化して形成し、
前記制御部は、前記電圧値及び前記濃度値を最大濃度値で正規化する請求項１に記載の画像形成装置。
【請求項３】
前記識別用パッチは、前記補正用チャートの全ページ数、指定ページ番号、用紙種類、スクリーン又は機種、の情報のうち少なくとも一の情報を含む請求項１又は２に記載の画像形成装置。
【請求項４】
前記制御部は、前記正規化した電圧値及び濃度値の両者を比較して、前記用紙種類、前記スクリーン及び前記機種の情報が全て一致した場合、前記電圧値及び前記濃度値は同一の濃度補正用チャートから取得されたものであると判断する請求項３に記載の画像形成装置。
【請求項５】
前記制御部は、前記正規化した電圧値及び濃度値の両者を比較して、一致していない場合、前記入力部により新たな濃度値を入力する制御を行う請求項１〜４の何れか一項に記載の画像形成装置。
【請求項６】
操作表示部を備え、
前記制御部は、前記正規化した電圧値及び濃度値の両者を比較して、一致していない場合、前記操作表示部によりエラー表示する制御を行う請求項１〜５の何れか一項に記載の画像形成装置。
【請求項７】
前記制御部は、前記正規化した電圧値及び濃度値の両者を比較する際、前記識別用パッチに含まれる前記全ページ数及び前記指定ページ番号の情報に基づいて、比較対象である正規化された電圧値及び濃度値の全ての情報が存在するか否か判断し、全ての情報が存在しない場合、前記操作表示部によりエラー表示する制御を行う請求項６に記載の画像形成装置。
【請求項８】
前記画像形成装置は、２台の画像形成装置を直列に接続して構成される直列タンデム方式の画像形成システムのうち、上流側又は下流側に設置された画像形成装置の何れか一方である請求項１〜７の何れか一項に記載の画像形成装置。
【請求項９】
画像形成部により、濃度補正用チャートを用紙に形成する工程と、
カラーセンサにより、前記用紙に形成された濃度補正用チャートを測色し、測色した濃度を電圧値として入力する工程と、
入力部により、外部測色機により取得された前記濃度補正用チャートの濃度値を入力する工程と、
制御部により、前記電圧値及び前記濃度値に基づいて、前記電圧値を前記濃度値に変換する電圧濃度変換情報を生成し、該生成した電圧濃度変換情報を記憶媒体により記憶する制御を行う工程と、を含む画像処理支援方法であって、
前記濃度補正用チャートは、複数の補正用パッチ及び複数の識別用パッチを含み、
前記識別用パッチは、前記濃度補正用チャートの種別ごとに異なる濃度値で形成され、
前記制御部により、前記電圧値及び前記濃度値を予め定められた値で正規化し、該正規化した電圧値及び濃度値の両者を比較して、一致している場合、前記電圧値及び前記濃度値は同一の濃度補正用チャートから取得されたものであると判断する工程を含む画像処理支援方法。
【請求項１０】
濃度補正用チャートを用紙に形成する画像形成部と、
前記用紙に形成された濃度補正用チャートを測色し、測色した濃度を電圧値として入力するカラーセンサと、
前記用紙に形成された濃度補正用チャートを測色し、測色した濃度を濃度値として取得する外部測色機と、
前記外部測色機により取得された前記濃度補正用チャートの濃度値を入力する入力部と、
前記電圧値及び前記濃度値に基づいて、前記電圧値を前記濃度値に変換する電圧濃度変換情報を生成し、該生成した電圧濃度変換情報を記憶媒体により記憶する制御を行う制御部と、を備えた画像処理支援システムであって、
前記濃度補正用チャートは、複数の補正用パッチ及び複数の識別用パッチを含み、
前記識別用パッチは、前記濃度補正用チャートの種別ごとに異なる濃度値で形成され、
前記制御部により、前記電圧値及び前記濃度値を予め定められた値で正規化し、該正規化した電圧値及び濃度値の両者を比較して、一致している場合、前記電圧値及び前記濃度値は同一の濃度補正用チャートから取得されたものであると判断する工程を含む画像処理支援システム。
【発明の詳細な説明】
【技術分野】
【０００１】
本発明は、画像形成装置、画像処理支援方法、及び画像処理支援システムに関する。
【背景技術】
【０００２】
画像形成装置における画像処理では、濃度補正が行われる。濃度補正には、例えばプリンタγ補正がある。プリンタγ補正が行われることにより、入力画像に忠実な色の画像を用紙に形成することができる。なお、濃度補正にはプリンタγ補正の他、スクリーン処理等も影響要因として挙げられる。
【０００３】
「プリンタγ補正」とは、画像形成装置に入力された入力画像の濃度や輝度などの値（入力値）と、入力画像に基づいて実際に用紙に画像形成された画像の濃度（出力値）との相対関係を調整することをいう。基本的な手法としては、まず、画像形成装置により濃度補正用のチャート（以下、「濃度補正用チャート」という）を入力し、入力値を取得する。そして、入力した濃度補正用チャートを用紙に出力する。出力した濃度補正用チャートをカラーセンサやスキャナ等で読み取り、出力値を取得する。最後に、読み取った出力値と、はじめに取得した入力値との相対関係を調整する。以上により、入力画像と出力画像との間で再現性の確保を図ることができる。
【０００４】
ところで、上記述べたように、濃度補正の作業としては、まず濃度補正用チャートを入力して入力値を取得し、その後、印刷した濃度補正用チャートを読み取って出力値を取得する、といった一連の工程が行われる。この一連の工程のうち、ユーザは、取得された入力値と出力値とが同一の濃度補正用チャートから取得されたものであることを確認する必要がある。具体的には、ユーザは、画像形成装置に設けられた操作表示部において、入力値及び出力値のファイル名を照合し、同一の濃度補正用チャートから取得されたデータであるか否かを確認する必要がある。なお、異なる濃度補正用チャートからそれぞれ取得された入力値と出力値とを比較して調整すると、正常でないプリンタγ補正カーブを生成してしまう。正常でないプリンタγ補正カーブによりプリンタγ補正を実施すると、異常画像が出力されることになる。
【０００５】
濃度補正用チャートが用紙１枚程度である場合、異なる濃度補正用チャートから取得された入力値と出力値とを比較する事態は考え難い。しかし通常、濃度補正用チャートは複数枚でひとつのチャートを構成するため、ユーザの確認作業は煩雑なものとなりミスも多くなる。よって、異なる濃度補正用チャートからそれぞれ取得された入力値と出力値とを比較してしまうミスが生じ得る。
【０００６】
ここで、特許文献１には、濃度補正用チャートを出力する際、濃度補正用チャートの副走査方向の延長線上にバーコードを印字する技術が開示されている。また、出力した濃度補正用チャートをカラーセンサで読み取る際、濃度補正用チャートとともにバーコードも読み取る技術が開示されている。バーコードには、濃度補正用チャートを出力した機体番号の情報や標準的な濃度補正用チャートであることを示す情報が含まれている。よって、特許文献１に記載の技術によれば、濃度補正用チャートに印字されたバーコードを読み取って、その濃度補正用チャートを出力した機体番号の照合を自動的に行うことができる。また、出力した濃度補正用チャートが標準的な濃度補正用チャートであるか否かを自動的に確認することができる。よって、ユーザは、出力された濃度補正用チャートが補正対象としている特定の機体から出力されたものであるか否か、又は出力された濃度補正用チャートが標準的な濃度補正用チャートであるか否かについて、確認する手間を省くことができる。
【０００７】
また、特許文献２には、１台の画像出力装置（プリンタ）に複数の画像入力装置（スキャナ）を接続して構成される画像形成装置において、何れかのスキャナから濃度補正用チャートを入力し、入力した濃度補正用チャートをプリンタにより出力する場合、濃度補正用チャートにスキャナの識別コードを印字する技術が開示されている。また、出力した濃度補正用チャートをスキャナで読み取る際、濃度補正用チャートとともに識別コードも読み取る技術が開示されている。特許文献２に記載の技術によれば、濃度補正用チャートに印字されたスキャナの識別コードを読み取って、はじめに入力された濃度補正用チャートがどのスキャナから入力された濃度補正用チャートであるかを自動的に確認することができる。よって、ユーザの確認する手間を省くことができる。
【０００８】
また、特許文献３、４には、ネットワークを介して、複数台の画像形成装置を並列に接続して構成される画像形成システムにおいて、第２、第３の画像形成装置にて濃度補正用チャートを出力する際、濃度補正用チャートに出力元の画像形成装置を識別するＩＤパターンを印刷する技術が開示されている。また、第１の画像形成装置にて濃度補正用チャートを読み取る際、濃度補正用チャートとともにＩＤパターンも読み取る技術が開示されている。特許文献３、４に記載の技術によれば、ＩＤパターンを読み取ることで、どの濃度補正用チャートがどの画像形成装置により出力されたものであるかを自動的に確認することができる、よって、ユーザの確認する手間を省くことができる。
【先行技術文献】
【特許文献】
【０００９】
【特許文献１】特開２００４−０６９８３３号公報
【特許文献２】特開２００１−１７７７２５号公報
【特許文献３】特開２００５−０９４３０３号公報
【特許文献４】特開２００２−１６３０８９号公報
【発明の概要】
【発明が解決しようとする課題】
【００１０】
しかし、特許文献１〜４に記載の技術では、濃度補正用チャートに印字した特殊コードを読み書きする機能や装置（バーコードリーダライタ装置等）が新たに必要となる。よって、コスト面で問題となる。
また、特許文献１〜４に記載の技術では、濃度補正用チャートを入力又は出力した機器の識別コードを濃度補正用チャートに印字し、読み取った濃度補正用チャートの出力値と、識別コードで識別される機器とを比較しているだけである。つまり、必ずしも、同一の濃度補正用チャートから取得された入力値と出力値とを比較していることにはならない。
【００１１】
本発明の課題は、濃度補正用チャートを構成する補正用パッチの他に、濃度補正用チャートを識別するための識別用パッチを新たに形成し、識別用パッチに濃度補正用チャートを識別する識別情報を含ませることにより、比較対象の入力値及び出力値が同一の濃度補正用チャートから取得されたものであるか否かを自動的に判断し得る画像形成装置、画像処理支援方法、及び画像処理支援システムを提供することである。
【課題を解決するための手段】
【００１２】
請求項１に記載の発明によれば、
濃度補正用チャートを用紙に形成する画像形成部と、
前記用紙に形成された濃度補正用チャートを測色し、測色した濃度を電圧値として入力するカラーセンサと、
外部測色機により取得された前記濃度補正用チャートの濃度値を入力する入力部と、
前記電圧値及び前記濃度値に基づいて、前記電圧値を前記濃度値に変換する電圧濃度変換情報を生成し、該生成した電圧濃度変換情報を記憶媒体により記憶する制御を行う制御部と、を備えた画像形成装置であって、
前記濃度補正用チャートは、複数の補正用パッチ及び複数の識別用パッチを含み、
前記識別用パッチは、前記濃度補正用チャートの種別ごとに異なる濃度値で形成され、
前記制御部は、前記電圧値及び前記濃度値を予め定められた値で正規化し、該正規化した電圧値及び濃度値の両者を比較して、一致している場合、前記電圧値及び前記濃度値は同一の濃度補正用チャートから取得されたものであると判断する画像形成装置が提供される。
【００１３】
請求項２に記載の発明によれば、請求項１に記載の発明において、
前記画像形成部は、前記識別用パッチを最大濃度値で正規化して形成し、
前記制御部は、前記電圧値及び前記濃度値を最大濃度値で正規化する画像形成装置が提供される。
【００１４】
請求項３に記載の発明によれば、請求項１又は２に記載の発明において、
前記識別用パッチは、前記補正用チャートの全ページ数、指定ページ番号、用紙種類、スクリーン又は機種、の情報のうち少なくとも一の情報を含む画像形成装置が提供される。
【００１５】
請求項４に記載の発明によれば、請求項３に記載の発明において、
前記制御部は、前記正規化した電圧値及び濃度値の両者を比較して、前記用紙種類、前記スクリーン及び前記機種の情報が全て一致した場合、前記電圧値及び前記濃度値は同一の濃度補正用チャートから取得されたものであると判断する画像形成装置が提供される。
【００１６】
請求項５に記載の発明によれば、請求項１〜４の何れか一項に記載の発明において、
前記制御部は、前記正規化した電圧値及び濃度値の両者を比較して、一致していない場合、前記入力部により新たな濃度値を入力する制御を行う画像形成装置が提供される。
【００１７】
請求項６に記載の発明によれば、請求項１〜５の何れか一項に記載の発明において、
操作表示部を備え、
前記制御部は、前記正規化した電圧値及び濃度値の両者を比較して、一致していない場合、前記操作表示部によりエラー表示する制御を行う画像形成装置が提供される。
【００１８】
請求項７に記載の発明によれば、請求項６に記載の発明において、
前記制御部は、前記正規化した電圧値及び濃度値の両者を比較する際、前記識別用パッチに含まれる前記全ページ数及び前記指定ページ番号の情報に基づいて、比較対象である正規化された電圧値及び濃度値の全ての情報が存在するか否か判断し、全ての情報が存在しない場合、前記操作表示部によりエラー表示する制御を行う画像形成装置が提供される。
【００１９】
請求項８に記載の発明によれば、請求項１〜７の何れか一項に記載の発明において、
前記画像形成装置は、２台の画像形成装置を直列に接続して構成される直列タンデム方式の画像形成システムのうち、上流側又は下流側に設置された画像形成装置の何れか一方である画像形成装置が提供される。
【００２０】
請求項９に記載の発明によれば、
画像形成部により、濃度補正用チャートを用紙に形成する工程と、
カラーセンサにより、前記用紙に形成された濃度補正用チャートを測色し、測色した濃度を電圧値として入力する工程と、
入力部により、外部測色機により取得された前記濃度補正用チャートの濃度値を入力する工程と、
制御部により、前記電圧値及び前記濃度値に基づいて、前記電圧値を前記濃度値に変換する電圧濃度変換情報を生成し、該生成した電圧濃度変換情報を記憶媒体により記憶する制御を行う工程と、を含む画像処理支援方法であって、
前記濃度補正用チャートは、複数の補正用パッチ及び複数の識別用パッチを含み、
前記識別用パッチは、前記濃度補正用チャートの種別ごとに異なる濃度値で形成され、
前記制御部により、前記電圧値及び前記濃度値を予め定められた値で正規化し、該正規化した電圧値及び濃度値の両者を比較して、一致している場合、前記電圧値及び前記濃度値は同一の濃度補正用チャートから取得されたものであると判断する工程を含む画像処理支援方法が提供される。
【００２１】
請求項１０に記載の発明によれば、
濃度補正用チャートを用紙に形成する画像形成部と、
前記用紙に形成された濃度補正用チャートを測色し、測色した濃度を電圧値として入力するカラーセンサと、
前記用紙に形成された濃度補正用チャートを測色し、測色した濃度を濃度値として取得する外部測色機と、
前記外部測色機により取得された前記濃度補正用チャートの濃度値を入力する入力部と、
前記電圧値及び前記濃度値に基づいて、前記電圧値を前記濃度値に変換する電圧濃度変換情報を生成し、該生成した電圧濃度変換情報を記憶媒体により記憶する制御を行う制御部と、を備えた画像処理支援システムであって、
前記濃度補正用チャートは、複数の補正用パッチ及び複数の識別用パッチを含み、
前記識別用パッチは、前記濃度補正用チャートの種別ごとに異なる濃度値で形成され、
前記制御部により、前記電圧値及び前記濃度値を予め定められた値で正規化し、該正規化した電圧値及び濃度値の両者を比較して、一致している場合、前記電圧値及び前記濃度値は同一の濃度補正用チャートから取得されたものであると判断する工程を含む画像処理支援システムが提供される。
【発明の効果】
【００２２】
本発明によれば、濃度補正用チャートを構成する補正用パッチの他に、濃度補正用チャートを識別するための識別用パッチを新たに形成し、識別用パッチに濃度補正用チャートを識別する識別情報を含ませることにより、比較対象の入力値及び出力値が同一の濃度補正用チャートから取得されたものであるか否かを自動的に判断することができる。濃度補正用チャートの読み取りに際しては、特殊コードを読み取る装置は不要であり、別の新たな読み取り装置等も不要であるため、コスト面の改善が期待される。
【図面の簡単な説明】
【００２３】
【図１】画像形成装置の概略構成図である。
【図２】カラーセンサの概略構成図である。
【図３】画像処理支援システムの概略構成図である。
【図４】画像形成装置の機能ブロック図である。
【図５】濃度補正用チャートのサイズ仕様である。
【図６】濃度補正用チャートの一例である。
【図７】ＸＹＺ三刺激値変換カーブの登録画面である。
【図８】用紙カテゴリの構造を示す図である。
【図９】個別設定変更画面である。
【図１０】トレイ用紙プロファイルの構造を示す図である。
【図１１】用紙条件登録画面である。
【図１２】用紙プロファイルの構造を示す図である。
【図１３】用紙カテゴリ、トレイ用紙プロファイル、用紙プロファイルの相互関係を示す図である。
【図１４】電圧濃度変換テーブルの登録処理を示すフロー図である。
【図１５】起動時画面である。
【図１６】調整メニューの設定画面である。
【図１７】出力紙濃度調整の設定画面である。
【図１８】用紙カテゴリのリスト選択画面である。
【図１９】用紙カテゴリの名称入力画面である。
【図２０】プリントスタンバイ画面である。
【図２１】プリント中画面である。
【図２２】用紙カテゴリのリスト選択画面である。
【図２３】接続要求画面である。
【図２４】同一性判断処理を示すフロー図である。
【図２５】用紙カテゴリのリスト選択画面である。
【図２６】リンク解除処理を示すフロー図である。
【図２７】用紙プロファイルのリンク設定処理を示すフロー図である。
【図２８】起動時画面である。
【図２９】用紙設定画面である。
【図３０】個別設定変更画面である。
【図３１】用紙カテゴリ選択画面である。
【図３２】個別設定変更画面である。
【図３３】用紙プロファイルの登録処理を示すフロー図である。
【図３４】設定メニュー画面である。
【図３５】給紙トレイ設定画面である。
【図３６】用紙プロファイル登録画面である。
【図３７】用紙条件登録画面である。
【図３８】用紙カテゴリ選択画面である。
【図３９】用紙条件登録画面である。
【発明を実施するための形態】
【００２４】
本実施形態における画像形成装置について、図面を用いて詳細に説明する。なお、本実施形態に係る画像形成装置は本願発明の一例であり、必ずしもこれに限定されるものではない。
【００２５】
図１に、画像形成装置１０の概略構成を示す。
画像形成装置１０は、画像形成部１１及びリレーユニット２１を備えて構成される。
【００２６】
画像形成部１１は、電子写真方式のデジタル印刷機であって、制御部１、操作表示部２、給紙部１２、ＹＭＣＫ各色の感光体ドラム１３〜１６、中間転写ベルト１７、二次転写ローラ１８、定着装置１９等を備えて構成される。なお、この他にも一般的構成（自動原稿搬送部、スキャナ部、ＩＤＣセンサ等）を備えるが、ここでの説明は省略する。
【００２７】
制御部１は、ＣＰＵ、ＲＡＭ、ＲＯＭ等を備えて構成される。制御部１は、ＲＯＭ又は不揮発メモリ１ｂ（図４参照）に記憶されている各種プログラムをＲＡＭに展開し、展開した各種プログラムとの協働により、画像形成装置１０の各部の動作を集中制御する。
【００２８】
操作表示部２は、ＬＣＤ（Liquid Crystal Display）又は有機ＥＬディスプレイ、及びタッチパネル等を備えて構成され、各種設定画面を表示する。また、操作表示部２は、ユーザによりタッチパネルが押下された場合には押下信号を生成し、生成された押下信号を制御部１に出力する。
【００２９】
給紙部１２は、複数の給紙トレイを備えて構成され、用紙のサイズや紙種ごとに用紙を格納し、格納されている用紙を所定の搬送路により搬送して用紙を給紙する。
【００３０】
ＹＭＣＫ各色の感光体ドラム１３〜１６は、感光体ドラム上にＹＭＣＫ各色のトナー像をそれぞれ形成して担持し、これを中間転写ベルト１７上に転写する（一次転写）。なお、ＹＭＣＫ各色の感光体ドラム１３〜１６のそれぞれは、周囲に帯電装置、露光装置、現像装置、クリーニング装置等を備える。
【００３１】
中間転写ベルト１７は、一次転写により形成されたトナー像を担持しながら回転する。
二次転写ローラ１８は、中間転写ベルト１７上に担持されているＹＭＣＫ各色のトナー像を用紙に転写する（二次転写）。
【００３２】
定着装置１９は、加熱ローラ及び加圧ローラ等の定着ローラを備えて構成される。定着装置１９は、二次転写により用紙に形成されたＹＭＣＫ各色のトナー像を加熱又は加圧して、トナー像を用紙に定着させる。定着装置１９は、加熱及び加圧した用紙を搬送方向下流側のリレーユニット２１に搬送する。
【００３３】
リレーユニット２１は、カラーセンサ２２等を備えて構成される。リレーユニット２１は、画像形成部１１から搬送されてきた用紙の搬送スピードと同期をとり、用紙を搬送方向下流側に搬送する。なお、リレーユニット２１はパンチ処理、折り処理、糊塗布処理、断裁処理等の各処理を行う機能、いわゆるフィニッシャー機能を備えるとしてもよい。
【００３４】
図２に、カラーセンサ２２の概略構成及び条件を示す。
カラーセンサ２２は、ＬＥＤ光源２２１、受光素子２２２、レンズ２２３、レンズホルダ２２４等を備えて構成される反射型センサである。
カラーセンサ２２は、用紙に形成された濃度補正用チャート（図６参照）を測色して濃度補正用チャートの濃度を電圧値として入力し、入力した電圧値を制御部１に出力する。
なお、反射率は用紙種類に応じて変動するため、本センサを用いたプリンタγ補正では用紙種類と連動させる必要がある。また、反射率はスクリーン種類でも微細ながら変動するため、より高度なプリンタγ補正を行う場合はスクリーン種類も連動させることが好ましい。
【００３５】
図３に、画像処理支援システム１０Ａの概略構成を示す。
画像処理支援システム１０Ａは、画像形成部１１及びリレーユニット２１を備える画像形成装置１０、ＸＹＺ三刺激値測色機３１、外部ＰＣ４１、ＵＳＢメモリ５１を備えて構成される。
【００３６】
画像形成装置１０は、最適なプリンタγ補正をかけたい用紙を用いて、この用紙に濃度補正用チャートを画像形成する。このとき、リレーユニット２１は、カラーセンサ２２により濃度補正用チャートを読み取り、読み取った電圧値を制御部１に出力する。
【００３７】
ＸＹＺ三刺激値測色機３１は、分光光度計等を備えて構成され、外部ＰＣ４１とはＵＳＢ接続されている。ＸＹＺ三刺激値測色機３１は、用紙に形成された濃度補正用チャートを読み取り、読み取った濃度補正用チャートをＸＹＺ三刺激値（以下、「濃度値」という）に変換する。また、ＸＹＺ三刺激値測色機３１は、変換した濃度値の情報を外部ＰＣ４１に出力する。なお、本実施形態では、ＸＹＺ表色系を採用し、ＸＹＺ三刺激値測色機３１によりＸＹＺ三刺激値を取得するようにしているが必ずしもこれに限られない。他の表色系を採用し、色空間座標値測色機により他の色空間座標値を取得するようにしてもよい。
【００３８】
外部ＰＣ４１は、ＸＹＺ三刺激値測色機３１からの濃度値を入力し、入力された濃度値をＵＳＢメモリ５１に記憶する。
【００３９】
ＵＳＢメモリ５１は、外部ＰＣ４１から抜き取られて画像形成装置１０に接続され、画像形成装置１０に濃度値を出力する。なお、ＸＹＺ三刺激値測色機３１、外部ＰＣ４１及び画像形成装置１０は、ＬＡＮケーブル等によりデータ通信可能に常時接続されるとしてもよい。
【００４０】
画像形成装置１０は、ＵＳＢメモリ５１からの濃度値を入力し、カラーセンサ２２により読み取られた電圧値、ＸＹＺ三刺激値測色機３１により読み取られた濃度値、及び予め定められたアルゴリズムに基づいて、電圧値を濃度値に変換する電圧濃度変換テーブルを作成する。画像形成装置１０は、作成された電圧濃度変換テーブルを不揮発メモリ１ｂ（図４参照）に記憶する。
【００４１】
図４に、画像形成装置１０の機能ブロック図を示す。
画像形成装置１０は、画像形成部１１及びリレーユニット２１を備えて構成される。また、画像形成部１１と外部ＰＣ４１とは、ＬＡＮにより通信可能に接続される。
【００４２】
画像形成部１１は、制御部１、操作表示部２、スキャナ部３、プリンタ部４、プリンタコントローラ５等を備えて構成される。
【００４３】
制御部１は、画像制御ＣＰＵ１ａ、不揮発メモリ１ｂ、読み取り処理部１ｃ、圧縮ＩＣ１ｄ、ＤＲＡＭ制御ＩＣ１ｅ、画像メモリ１ｆ、伸張ＩＣ１ｇ、書き込み処理部１ｈ等を備えて構成される。
【００４４】
画像制御ＣＰＵ１ａは、ＣＰＵ、ＲＡＭ、ＲＯＭ等から構成され、ＲＯＭ又は不揮発メモリ１ｂに記憶されている各種プログラムを読み出してＲＡＭに展開し、展開した各種プログラムとの協働により各種処理を実行する。
【００４５】
不揮発メモリ１ｂは、書き換え可能な不揮発性のメモリを備えて構成され、各種プログラムや各種データを記憶する。
【００４６】
読み取り処理部１ｃは、ＣＣＤ３ａから出力されるアナログ画像信号を入力し、アナログ画像信号にアナログ処理、シェーディング処理、Ａ／Ｄ変換処理等を行い、デジタル画像データを生成する。読み取り処理部１ｃは、生成した画像データを圧縮ＩＣ１ｄに出力する。
【００４７】
圧縮ＩＣ１ｄは、読み取り処理部１ｃからの画像データを入力し、画像データに圧縮処理を行った後、画像データをＤＲＡＭ制御ＩＣ１ｅに出力する。
【００４８】
ＤＲＡＭ制御ＩＣ１ｅは、読み取り処理部１ｃにより読み取られた画像データを圧縮ＩＣ１ｄにより圧縮し、圧縮画像データを圧縮メモリ１１ｆにより記憶する。また、ＤＲＡＭ制御ＩＣ１ｅは、圧縮メモリ１１ｆからの圧縮画像データを伸張ＩＣ１ｇにより伸張し、非圧縮画像データをページメモリ１２ｆにより記憶する。更に、ＤＲＡＭ制御ＩＣ１ｅは、ページメモリ１２ｆに記憶されている非圧縮画像データを入力し、非圧縮画像データを書き込み処理部１ｈに出力する。
【００４９】
画像メモリ１ｆは、ＤＲＡＭにより構成され、圧縮メモリ１１ｆ及びページメモリ１２ｆを備える。圧縮メモリ１１ｆは、圧縮画像データを記憶する。また、ページメモリ１２ｆは、画像形成前に画像形成対象の非圧縮画像データを一時的に記憶する。
【００５０】
伸張ＩＣ１ｇは、入力される圧縮画像データに伸張処理を行う。
【００５１】
書き込み処理部１ｈは、ＤＲＡＭ制御ＩＣ１ｅから入力された画像形成対象の画像データに基づいて、画像形成のための印刷用データを生成し、プリンタ部４に出力する。
【００５２】
操作表示部２は、ＬＣＤ２ａ及び表示制御部２ｂ等を備えて構成される。
ＬＣＤ２ａは、ＬＣＤ２ａを覆うタッチパネルを備える。表示制御部２ｂは、画像制御ＣＰＵ１ａから出力される表示信号を入力し、表示信号に基づいて各種設定画面等をＬＣＤ２ａに表示する。また、表示制御部２ｂは、図示しない操作キー群又はタッチパネルの押下により生成される操作信号を入力し、操作信号を画像制御ＣＰＵ１ａに出力する。
【００５３】
スキャナ部３は、ＣＣＤ３ａ及びＣＣＤ３ａを駆動制御するスキャナ制御部３ｂを備えて構成される。スキャナ部３は、図示しない原稿台に載置された原稿面を光源により露光走査して原稿面からの反射光を受光し、受光した反射光をＣＣＤ３ａにより光電変換してアナログ画像信号を生成する。スキャナ部３は、生成したアナログ画像信号を読み取り処理部１ｃに出力する。
【００５４】
プリンタ部４は、ＬＤ（Laser Diode）４ａ及びＬＤ４ａの画像形成動作を制御するプリンタ制御部４ｂを備えて構成される。プリンタ部４は、用紙にトナー像を形成し、形成したトナー像を定着させる一連の画像形成処理を行う。
【００５５】
プリンタコントローラ５は、コントローラ制御ＣＰＵ５ａ、ＬＡＮＩＦ５ｂ、ＵＳＢ５ｃ、ＤＲＡＭ制御ＩＣ５ｄ、画像メモリ５ｅを備えて構成される。
【００５６】
コントローラ制御ＣＰＵ５ａは、プリンタコントローラ５の各部の動作を統括的に制御する。
ＬＡＮＩＦ５ｂは、ＮＩＣやモデム等のＬＡＮと接続するための通信インターフェイスであり、外部ＰＣから送信された画像データをＬＡＮを介して受信する。また、ＬＡＮＩＦ５ｂは、受信した画像データをＤＲＡＭ制御ＩＣ５ｄに出力する。
【００５７】
ＵＳＢポート５ｃは、ＵＳＢメモリ５１によって記憶されている各種データを入力し、入力した各種データをコントローラ制御ＣＰＵ５ａに出力する。本実施形態において、ＵＳＢポート５ｃは、ＵＳＢメモリ５１に記憶されている濃度値を入力し、入力した濃度値をコントローラ制御ＣＰＵ５ａに出力する。
【００５８】
ＤＲＡＭ制御ＩＣ５ｄは、画像データを画像メモリ５ｅに出力し、画像メモリ５ｅから画像データを入力する。また、ＤＲＡＭ制御ＩＣ５ｄは、制御部１のＤＲＡＭ制御ＩＣ１ｅとＰＣＩバスで接続され、画像データ又は各種データをＤＲＡＭ制御ＩＣ１ｅに出力する。
【００５９】
画像メモリ５ｅは、ＤＲＡＭにより構成され、画像データを一時的に記憶する。
【００６０】
リレーユニット２１は、リレーユニット制御部２１ａ及びカラーセンサ２２等を備えて構成される。
リレーユニット制御部２１ａは、ＣＰＵ、ＲＡＭ、ＲＯＭ等から構成され、ＲＯＭに記憶されている各種プログラムを読み出してＲＡＭに展開し、展開された各種プログラムとの協働により各種処理を実行する。また、リレーユニット制御部２１ａは、プリンタ制御部４ｂを介して制御部１とデータ通信可能に接続される。
【００６１】
カラーセンサ２２は、センサ上を通過する用紙に形成された濃度補正用チャートを読み取り、読み取った電圧値をリレーユニット制御部２１ａに出力する。
【００６２】
図５に、濃度補正用チャートのサイズ仕様を示す。
濃度補正用チャートを構成するγ補正用パッチのサイズは、カラーセンサ２２の性能等によって定まる。また、γ補正用パッチは、複数枚の用紙にわたって形成される。一般に、用紙サイズが大きいほど濃度補正用チャートに用いられる用紙枚数は少なくて済み、用紙サイズが小さいほど多くの用紙が必要となる。ここでは、大サイズ、中サイズ、小サイズの合計３パターンの用紙サイズが予め定められており、濃度補正用チャート全体で必要な用紙枚数が対応付けられている。例えば、副走査方向の長さが２９７.０ｍｍの用紙（Ａ４用紙）にγ補正用パッチを形成する場合、用紙サイズは「中サイズ」（Ａ４サイズ）であり、Ａ４用紙１枚につき「γ補正用パッチ数」は３２個形成され、濃度補正用チャート全体で必要な「用紙枚数」は４枚である。
なお、図５に示すサイズ仕様は、不揮発メモリ１ｂに予め記憶されているものとする。
【００６３】
図６に、濃度補正用チャートの一例を示す。
図６に示す濃度補正用チャートは、Ａ４用紙４枚にわたって形成されたγ補正用パッチにより構成される。また、本実施形態では、濃度補正用チャートにはγ補正用パッチの他、ヘッダ情報が付与される。
【００６４】
γ補正用パッチは、Ａ４−１〜Ａ４−４の合計４枚にわたって形成される。Ａ４用紙１枚につきＹＭＣＫ４色のγ補正用パッチはそれぞれ８個形成され、Ａ４用紙１枚につき合計３２個形成される。濃度補正用チャートは全体でＡ４用紙４枚により構成されるから、ＹＭＣＫ各色のγ補正用パッチの総数は３２個／枚×４枚＝１２８個である。γ補正用パッチの濃度値は、同図に示すように、階調２５５を最大としてＡ４−１〜Ａ４−４に満遍なく散らされる。濃度値を満遍なく散らすことにより、色の再現性を確保し、チャート依存性の低減又はノイズの低減を図ることができる。
【００６５】
ヘッダ情報は、γ補正用パッチのヘッダ部に付与される。本実施形態では、ヘッダ情報を付与する手法として、識別用パッチをヘッダ部に形成するものとして説明する。
識別用パッチは、Ａ４−１〜Ａ４−４の合計４枚にわたって形成される。Ａ４用紙１枚につきＹＭＣＫ４色の識別用パッチはそれぞれ１個形成され、Ａ４用紙１枚につき合計４個形成される。濃度補正用チャートは全体でＡ４用紙４枚により構成されるから、ＹＭＣＫ各色のγ補正用パッチの総数は４個／枚×４枚＝１６個である。Ａ４−１〜Ａ４−４に形成される識別用パッチの濃度値は、Ａ４−１〜Ａ４−４ごと（濃度補正用チャートの種別ごと）に互いに異なる。
【００６６】
ここで、識別用パッチの濃度値の決定方法について説明する。
識別用パッチは、濃度補正用チャートＡ４−１〜Ａ４−４を識別するためのパッチであり、ＹＭＣＫ各色の濃度値の組み合わせはＡ４−１〜Ａ４−４ごとに異なる。すなわち、識別用パッチは、濃度補正用チャートの種別ごとに固有の濃度値（又は固有の組み合わせ）を有する。以下、具体的な濃度値の決定方法について説明する。
【００６７】
例えば、用紙の種類が１．普通紙、２．カラー用紙、３．上質紙、４．マッドコート紙、５．グロスコート紙、の５種類ある場合について説明する。濃度補正用チャートを形成する用紙が何れの用紙であるかを濃度値で表現する場合、ここではまず、〔最大階調２５５〕÷〔５種類〕＝〔５１分解能〕とする。そして、１．普通紙であれば〔濃度値〕＝０〜５０、２．カラー用紙であれば〔濃度値〕＝５１〜１０１、３．上質紙であれば〔濃度値〕＝１０２〜１５２、４．マッドコート紙であれば〔濃度値〕＝１５３〜２０３、５．グロスコート紙であれば〔濃度値〕＝２０４〜２５５、の範囲に階調を振り分ける。濃度補正用チャートを形成する用紙が普通紙である場合、ＹＭＣＫ各色のうち、例えばＫ色の濃度値は０〜５０の範囲となるように、Ｋ色の識別用パッチを濃度補正用チャートに形成する。
その他の色（ＹＭＣ色）についても同様に、濃度補正用チャート固有の情報を濃度値で表現する。濃度補正用チャート固有の情報には、例えば登録番号（最大１０個）、濃度補正用チャートの全ページ数（最大６枚）、指定ページ数（最大６枚）、スクリーン（最大５種類）、機種情報（最大２種類）等がある。
本実施形態においては、Ｙ色には登録番号（最大１０個）、Ｍ色には全ページ数（最大６枚）、Ｃ色には指定ページ数（最大６枚）、Ｋ色には上記した用紙の種類（最大５種類）を表すように、ＹＭＣＫ各色の階調値を決定する。なお、本実施形態では、ＹＭＣＫ各色の識別用パッチを用紙１枚につき１個ずつ形成することとしたがこれに限らず、更にＹＭＣＫ各色の識別用パッチを１個ずつ形成してもよい。更に形成する識別用パッチには、例えばスクリーン（最大５種類）や機種情報（最大２種類）等を表す濃度値にて形成する。ヘッダ情報が増えることで、同一性判断（図２４参照）の正確性を確保することができる。
【００６８】
以上のようにして決定した濃度値にて識別用パッチを用紙に形成することで、カラーセンサ２２により読み取った識別用パッチの電圧値と、ＸＹＺ三刺激値測色機３１により読み取った濃度値とを比較したとき、一致していれば同一の濃度補正用チャートから取得されたデータであるものと判断することが可能となる。なお、一致しているか否かの処理の詳細については図２４に示すフローを参照して後述することにするが、ここで簡単に述べると、カラーセンサ２２により読み取った識別用パッチの電圧値及びＸＹＺ三刺激値測色機３１により読み取った識別用パッチの濃度値を共に２５５で正規化し、正規化後の両者の値が一致していれば同一の濃度補正用チャートから取得されたデータであるものと判断することが可能となる。
【００６９】
図７に、電圧濃度変換テーブルの登録画面Ｇ１を示す。
登録画面Ｇ１は操作表示部２により表示される。登録画面Ｇ１では、用紙カテゴリに電圧濃度変換テーブルを登録することができる。
「電圧濃度変換テーブル」とは、カラーセンサ２２により読み取られた電圧値を濃度値に変換する電圧濃度変換情報をいう。ここではテーブルと表現して説明するが、関数であってもよい。
【００７０】
「用紙カテゴリ」とは、電圧濃度変換テーブルを含み、不揮発メモリ１ｂに記憶されるファイルデータをいう。本実施形態における不揮発メモリ１ｂは、最大で１０個の用紙カテゴリを記憶することができるメモリ領域を確保している。登録画面Ｇ１では、Ｎｏ．１〜Ｎｏ．１０までの最大１０個の用紙カテゴリが表示される。
【００７１】
図８に、用紙カテゴリの構造を示す。
不揮発メモリ１ｂには、Ｎｏ．１〜Ｎｏ．１０の合計１０個の用紙カテゴリが記憶されており、用紙カテゴリのそれぞれは、（イ）用紙カテゴリ名称、（ロ）登録状態、（ハ）更新日、（二）電圧濃度変換テーブル、（ホ）パッチ測色電圧値、の各データにより構成される。上記（二）電圧濃度変換テーブルについては、上記（ホ）パッチ測色電圧値が用紙カテゴリに登録され、ＸＹＺ三刺激値測色機３１により読み取られたγ補正用パッチの濃度値が画像形成装置１０に入力された場合に作成される。
【００７２】
図９に、個別設定変更画面Ｇ２を示す。
個別設定変更画面Ｇ２は、操作表示部２により表示される。個別設定変更画面Ｇ２では、トレイ用紙プロファイルの設定を行うことができる。
【００７３】
「トレイ用紙プロファイル」とは、給紙部１２が備える各トレイの設定情報である。トレイ用紙プロファイルは、不揮発メモリ１ｂに記憶される。
【００７４】
個別設定変更画面Ｇ２では、「出力紙濃度調整」ボタンが押下状態であり、画面右側には、「デフォルト補正値」、「用紙カテゴリ」、「ＯＦＦ」の３つのボタンが押下可能に表示される。
【００７５】
「デフォルト補正値」ボタンは、用紙種類ごとに予め定められている電圧濃度変換テーブルを設定するためのボタンである。
【００７６】
「用紙カテゴリ」ボタンは、ユーザごとに作成され登録された電圧濃度変換テーブル（図８（二）参照）を使用するためのボタンである。
【００７７】
「ＯＦＦ」ボタンは、用紙種類ごとに定められる電圧濃度変換テーブルを使用せず、従来のＩＤＣセンサを用いたプリンタγ補正を行うためのボタンである。
【００７８】
図１０に、トレイ用紙プロファイルの構造を示す。
不揮発メモリ１ｂには、トレイ番号１〜９個の合計９個のトレイ用紙プロファイルが記憶される。なお、本実施形態では、給紙部１２が備えるトレイの数が９個であるため、最大９個のトレイ用紙プロファイルが記憶される。
【００７９】
トレイ用紙プロファイルは、（チ）用紙種類、（リ）用紙名称、（ヌ）坪量単位、（ル）坪量、…、（ヲ）プリンタγ補正モード、（ワ）用紙カテゴリデータベースへのリンク、の各データにより構成される。
【００８０】
上記（ヲ）「プリンタγ補正モード」については、「デフォルト補正値」：１、「用紙カテゴリ」：２、「ＯＦＦ」：０、のうち何れかが登録される。
上記（ワ）「用紙カテゴリデータベースへのリンク」については、用紙カテゴリの登録番号Ｎｏ．１〜Ｎｏ．１０（図７、８参照）のうち何れかの番号が登録される。番号が登録されることにより、トレイ用紙プロファイルは登録された番号の用紙カテゴリとリンクする。
【００８１】
図１１に、用紙条件登録画面Ｇ３を示す。
用紙条件登録画面Ｇ３は、操作表示部２により表示される。用紙条件登録画面Ｇ３では、用紙プロファイルの設定を行うことができる。
【００８２】
「用紙プロファイル」は、「トレイ用紙プロファイル」と同一の情報である。用紙プロファイルは、不揮発メモリ１ｂに記憶される。
【００８３】
図１２に、用紙プロファイルの構造を示す。
不揮発メモリ１ｂには、Ｎｏ．１〜Ｎｏ．５００までの合計５００個の用紙プロファイルが記憶される。用紙プロファイルは、トレイ用紙プロファイルと同一の内容であるため、ここでの説明は省略する。
【００８４】
図１３に、用紙カテゴリ、トレイ用紙プロファイル及び用紙プロファイルの相互関係を示す。前提として、ＵＳＢメモリ５１がＵＳＢポート５ｃに挿入され、ＵＳＢメモリ５１に記憶されている濃度値の情報が制御部１に出力されたものとする。
【００８５】
ＵＳＢメモリ５１に記憶されている濃度値が制御部１に出力されると、制御部１は、電圧濃度変換テーブルを作成して不揮発メモリ１ｂに記憶する。ここで、作成された電圧濃度変換テーブルは不揮発メモリ１ｂの「用紙カテゴリ」（図１３では、Ｎｏ．１）に登録される。
【００８６】
用紙カテゴリは、トレイ用紙プロファイル及び用紙プロファイルにリンクすることができる。ここでは、用紙カテゴリのＮｏ．１は、トレイ用紙プロファイルのトレイ番号２にリンクしている。また、用紙カテゴリのＮｏ．１は、用紙プロファイルのＮｏ．３にリンクしている。トレイ２により実際に用紙が給紙される場合、トレイ番号２のトレイ用紙プロファイルは、Ｎｏ．１の用紙カテゴリ、又はＮｏ．３の用紙プロファイルをロードする。これにより、給紙された用紙及び画像に対して最適なプリンタγ補正をかけることができる。特に、トレイ用紙プロファイルが用紙プロファイルをロードする場合、トレイ用紙プロファイルは、電圧濃度変換テーブルのみならず他の属性や制御値（用紙種類、用紙名称、坪量単位、…等の用紙特性）をセットでロードすることができる。
【００８７】
すなわち、ユーザは、実際に使用する用紙ごとに最適なプリンタγ補正をかけたい場合、用紙カテゴリ、トレイ用紙プロファイル及び用紙プロファイルのうち、何れかを設定又は確認することで、相互にリンクしていることから最適なプリンタγ補正をかけることができる。
【００８８】
図１４を参照して、電圧濃度変換テーブルの登録処理について説明する。
制御部１は、操作表示部２に起動時画面を表示する（ステップＳ１）。
【００８９】
図１５に、起動時画面Ｇ１１を示す。
画面右側には、用紙トレイがトレイ番号１〜９まで選択可能に表示される。また、画面下側には「調整」ボタンが押下可能に表示される。
【００９０】
制御部１は、起動時画面Ｇ１１において、用紙トレイが選択され、「調整」ボタンが押下されたか否か判断する（ステップＳ２）。
【００９１】
調整ボタンが押下されていない場合（ステップＳ２；Ｎ）、制御部１は、起動時画面Ｇ１１を継続して表示する。
調整ボタンの押下された場合（ステップＳ２；Ｙ）、制御部１は、調整メニューの設定画面を表示する（ステップＳ３）。
【００９２】
図１６に、調整メニューの設定画面Ｇ１２を示す。
画面右側には、「出力紙濃度調整」ボタンが押下可能に表示される。
【００９３】
制御部１は、調整メニューの設定画面Ｇ１２において、「出力紙濃度調整」ボタンが押下されたか否か判断する（ステップＳ４）。
【００９４】
出力紙濃度調整ボタンが押下されていない場合（ステップＳ４；Ｎ）、制御部１は、調整メニューの設定画面Ｇ１２を継続して表示する。
出力紙濃度調整ボタンが押下された場合（ステップＳ４；Ｙ）、制御部１は、出力紙濃度調整の設定画面を表示する（ステップＳ５）。
【００９５】
図１７に、出力紙濃度調整の設定画面Ｇ１３を示す。
画面左側には、調整メニューの設定画面Ｇ１２から出力紙濃度調整の設定画面Ｇ１３に移行している様子が表示される。
画面右側には、「用紙カテゴリ登録」ボタンが押下可能に表示される。
【００９６】
制御部１は、出力紙濃度調整の設定画面Ｇ１３において、「用紙カテゴリ登録」ボタンが押下されたか否か判断する（ステップＳ６）。
【００９７】
用紙カテゴリ登録ボタンが押下されていない場合（ステップＳ６；Ｎ）、制御部１は、出力紙濃度調整の設定画面Ｇ１３を継続して表示する。
用紙カテゴリ登録ボタンが押下された場合（ステップＳ６；Ｙ）、制御部１は、用紙カテゴリのリスト選択画面を表示する（ステップＳ７）。
【００９８】
図１８に、用紙カテゴリのリスト選択画面Ｇ１４を示す。
リスト選択画面Ｇ１４には、用紙カテゴリの名称又は名称が無い場合はブランク領域がＮｏ．１〜Ｎｏ．１０まで合計１０個選択可能に表示される。また、画面下側には、「印刷モード」ボタンが押下可能に表示される。
【００９９】
制御部１は、用紙カテゴリのリスト選択画面Ｇ１４において、Ｎｏ．１〜Ｎｏ．１０までのうち、何れか一の用紙カテゴリが選択され、「印刷モード」ボタンが押下されたか否か判断する（ステップＳ８）。
【０１００】
印刷モードボタンが押下されていない場合（ステップＳ８；Ｎ）、制御部１は、用紙カテゴリのリスト選択画面Ｇ１４を継続して表示する。
印刷モードボタンが押下された場合（ステップＳ８；Ｙ）、制御部１は、用紙カテゴリの名称入力画面を表示する（ステップＳ９）。
【０１０１】
図１９に、用紙カテゴリの名称入力画面Ｇ１５を示す。
用紙カテゴリの名称入力画面Ｇ１５には、キーボードが押下可能に表示される。画面下側には、「ＯＫ」ボタンが押下可能に表示される。
【０１０２】
制御部１は、用紙カテゴリの名称入力画面Ｇ１５において、名称が入力され、「ＯＫ」ボタンが押下されたか否か判断する（ステップＳ１０）。
【０１０３】
名称が入力され、ＯＫボタンが押下されていない場合（ステップＳ１０；Ｎ）、制御部１は、用紙カテゴリのリスト選択画面Ｇ１４を表示する。
名称が入力され、ＯＫボタンが押下された場合（ステップＳ１０；Ｙ）、制御部１は、プリントスタンバイ画面を表示する（ステップＳ１１）。
【０１０４】
図２０に、プリントスタンバイ画面Ｇ１６を示す。
画面右下側には、トレイ１〜トレイ９までの合計９個のトレイが選択可能に表示される。ここで選択されるトレイのトレイ用紙プロファイルに、後に電圧濃度変換テーブルが登録される。
【０１０５】
制御部１は、プリントスタンバイ画面Ｇ１６において、トレイ１〜トレイ９までのうち、何れかのトレイが選択され、プリント開始ボタン（図示省略）が押下されたか否か判断する（ステップＳ１２）。
【０１０６】
プリント開始ボタンが押下されていない場合（ステップＳ１２；Ｎ）、制御部１は、プリントスタンバイ画面Ｇ１６を継続して表示する。
プリント開始ボタンが押下された場合（ステップＳ１２；Ｙ）、制御部１は、濃度補正用チャートを画像形成するとともに、プリント中画面を表示する（ステップＳ１３）。
【０１０７】
図２１に、プリント中画面Ｇ１７を示す。
プリント中画面Ｇ１７には、「コピーしています」等のメッセージが表示される。
濃度補正用チャートの画像形成が終了した際には、プリント中画面Ｇ１７はプリントスタンバイ画面Ｇ１６に遷移する。
【０１０８】
制御部１は、プリント中画面Ｇ１７をプリントスタンバイ画面Ｇ１６に遷移させ、カラーセンサ２２により測色された濃度補正用チャートの測色値（電圧値）を用紙カテゴリに登録する（ステップＳ１４）。
【０１０９】
制御部１は、プリントスタンバイ画面Ｇ１６において、「印刷モード終了」ボタンが押下されたか否か判断する（ステップＳ１５）。
【０１１０】
印刷モード終了ボタンが押下されていない場合（ステップＳ１５；Ｎ）、制御部１は、プリントスタンバイ画面Ｇ１６を継続して表示する。
印刷モード終了ボタンが押下された場合（ステップＳ１５；Ｙ）、制御部１は、用紙カテゴリのリスト選択画面を表示する（ステップＳ１６）。
【０１１１】
図２２に、用紙カテゴリのリスト選択画面Ｇ１８を示す。
リスト選択画面Ｇ１８は、リスト選択画面Ｇ１４と表示内容及び構成は同一である。ここでは、カラーセンサ２２により読み取られた濃度補正用チャートの電圧値が用紙カテゴリに登録されたため、用紙カテゴリリストのＮｏ．１に名称が表示されている。また、合わせて、「測色データ読み込み待ち状態です」等のメッセージが表示される。
画面下側には、「測色データ読み込み」ボタンが押下可能に表示される。
【０１１２】
制御部１は、リスト選択画面Ｇ１８において、「測色データ読み込み」ボタンが押下されたか否か判断する（ステップＳ１７）。
【０１１３】
測色データ読み込みボタンが押下されていない場合（ステップＳ１７；Ｎ）、制御部１は、リスト選択画面Ｇ１８を継続して表示する。
測色データ読み込みボタンが押下された場合（ステップＳ１７；Ｙ）、制御部１は、ＵＳＢメモリ５１の接続要求画面を表示する（ステップＰＳ１８）。
【０１１４】
図２３に、接続要求画面Ｇ１９を示す。
接続要求画面Ｇ１９には、「ＵＳＢメモリを接続してＯＫを選択して下さい」等のメッセージが表示される。また、「ＯＫ」ボタンが押下可能に表示される。
【０１１５】
制御部１は、接続要求画面Ｇ１９において、「ＯＫ」ボタンが押下された場合、ＵＳＢメモリ５１を認識できたか否か判断する（ステップＳ１９）。
【０１１６】
認識できない場合（ステップＳ１９；Ｎ）、制御部１は、接続要求画面Ｇ１９と同様の構成画面にて「ＵＳＢメモリを認識できませんでした」等のメッセージを表示する。
認識できた場合（ステップＳ１９；Ｙ）、制御部１は、同一性判断処理を行う（ステップＳ２０）。
【０１１７】
同一性判断処理とは、カラーセンサ２２により読み取った識別用パッチの電圧値及びＸＹＺ三刺激値測色機３１により読み取った（ＵＳＢメモリ５１に記憶されている）濃度値を最大濃度値２５５で正規化し、両者を比較して一致しているか否かを判断する処理である。詳細については、図２４のフローを参照して後述する。
【０１１８】
制御部１は、電圧値と濃度値との間に、同一性があるか否か判断する（ステップＳ２１）。
同一性がない場合（ステップＳ２１；Ｎ）、制御部１は、ステップＳ１９に移行する。この場合、制御部１は、接続要求画面Ｇ１９と同様の構成画面にて「登録可能なファイルを認識できませんでした」等のメッセージを表示する。
【０１１９】
同一性がある場合（ステップＳ２１；Ｙ）、制御部１は、用紙カテゴリに登録済みの電圧値、ＵＳＢ５１から取得した濃度値、及び所定のアルゴリズムに基づいて、電圧濃度変換テーブルを作成する（ステップＳ２２）。
そして、制御部１は作成した電圧濃度変換テーブルを用紙カテゴリに登録して（ステップＳ２３）、電圧濃度変換テーブルの登録処理を終了する。
【０１２０】
図２４を参照して、同一性判断処理について説明する。
図２４に示す処理によれば、カラーセンサ２２により読み取った識別用パッチの電圧値と、ＸＹＺ三刺激値測色機３１により読み取った（ＵＳＢメモリ５１に記憶されている）濃度値との間に同一性があるか否か、すなわち同一の濃度補正用チャートから取得したデータであるか否かを判断することができる。
【０１２１】
制御部１は、ＵＳＢメモリ５１がＵＳＢポート５ｃに接続されたか否かを判断する（ステップＳ２０１）。
接続されている場合（ステップＳ２０１；Ｙ）、制御部１は、ヘッダ情報を取得する（ステップＳ２０２）。なお、ここで取得するヘッダ情報は、カラーセンサ２２により読み取った識別用パッチの電圧値である。
【０１２２】
制御部１は、取得したヘッダ情報を２５５で正規化する（ステップＳ２０３）。
【０１２３】
ここで、正規化されたＹ色のパッチの値は、２５５を登録番号数＝１０で割り、２５５を１０の範囲（以下、「ステップ」という）に振り分けたとき、何れかのステップ（１〜１０）に属する。正規化されたＹ色のパッチをここでは特に「登録番号パッチ」という。
また、正規化されたＭ色のパッチの値は、２５５を全ページ数＝４枚で割り、２５５を４つのステップに振り分けたとき、何れかのステップ（１〜４）に属する。正規化されたＭ色のパッチをここでは特に「全ページパッチ」という。
また、正規化されたＣ色のパッチの値は、２５５を指定ページ数＝４枚で割り、２５５を４つのステップに振り分けたとき、何れかのステップ（１〜４）に属する。正規化されたＣ色のパッチをここでは特に「指定ページパッチ」という。
また、正規化されたＫ色のパッチの値は、２５５を用紙種類＝５種類で割り、２５５を５つのステップに振り分けたとき、何れかのステップ（１〜５）に属する。正規化されたＫ色のパッチをここでは特に「用紙種類パッチ」という。
【０１２４】
制御部１は、登録番号パッチ（Ｙ色）のステップ値を取得する（ステップＳ２０４）。また、制御部１は、全ページパッチ（Ｍ色）のステップ値を取得する（ステップＳ２０５）。また、制御部１は、指定ページパッチ（Ｃ色）のステップ値を取得する（ステップＳ２０６）。また、制御部１は、用紙種類パッチ（Ｋ色）のステップ値を取得する（ステップＳ２０７）。
【０１２５】
制御部１は、ＵＳＢメモリ５１に比較対象のヘッダ情報があるか否か判断する（ステップＳ２０８）。
ＵＳＢメモリ５１に比較対象のヘッダ情報がある場合（ステップＳ２０８；Ｙ）、制御部１は、ヘッダ情報を取得する（ステップＳ２０９）。なお、ここで取得するヘッダ情報は、ＸＹＺ三刺激値測色機３１により取得された（ＵＳＢメモリ５１に記憶されている）識別用パッチの濃度値である。
【０１２６】
制御部１は、取得したヘッダ情報を２５５で正規化する（ステップＳ２１０）。
【０１２７】
ここで、正規化されたＹ色のパッチの値は、２５５を登録番号数＝１０で割り、２５５を１０の範囲（以下、「ステップ」という）に振り分けたとき、何れかのステップ（１〜１０）に属する。正規化されたＹ色のパッチをここでは特に「登録番号パッチ」という。
また、正規化されたＭ色のパッチの値は、２５５を全ページ数＝４枚で割り、２５５を４つのステップに振り分けたとき、何れかのステップ（１〜４）に属する。正規化されたＭ色のパッチをここでは特に「全ページパッチ」という。
また、正規化されたＣ色のパッチの値は、２５５を指定ページ数＝４枚で割り、２５５を４つのステップに振り分けたとき、何れかのステップ（１〜４）に属する。正規化されたＣ色のパッチをここでは特に「指定ページパッチ」という。
また、正規化されたＫ色のパッチの値は、２５５を用紙種類＝５種類で割り、２５５を５つのステップに振り分けたとき、何れかのステップ（１〜５）に属する。正規化されたＫ色のパッチをここでは特に「用紙種類パッチ」という。
【０１２８】
制御部１は、登録番号パッチ（Ｙ色）のステップ値を取得する（ステップＳ２１１）。また、制御部１は、全ページパッチ（Ｍ色）のステップ値を取得する（ステップＳ２１２）。また、制御部１は、指定ページパッチ（Ｃ色）のステップ値を取得する（ステップＳ２１３）。また、制御部１は、用紙種類パッチ（Ｋ色）のステップ値を取得する（ステップＳ２１４）。
【０１２９】
制御部１は、登録番号パッチ（Ｙ色）のステップ値は同一か否か判断する（ステップＳ２１５）。詳細には、電圧値を正規化して取得したステップ値と、濃度値を正規化して取得したステップ値とを比較して同一のステップ値であるか否か判断する。
【０１３０】
登録番号パッチのステップ値が同一のステップ値である場合（ステップＳ２１５；Ｙ）、制御部１は、同様に、全ページパッチ（Ｍ色）のステップ値は同一か否か判断する（ステップＳ２１７）。
【０１３１】
全ページパッチのステップ値が同一のステップ値である場合（ステップＳ２１６；Ｙ）、制御部１は、同様に、指定ページパッチ（Ｃ色）のステップ値は同一か否か判断する（ステップＳ２１８）。
【０１３２】
指定ページパッチのステップ値が同一のステップ値である場合（ステップＳ２１７；Ｙ）、制御部１は、同様に、用紙種類パッチ（Ｋ色）のステップ値は同一であるか否か判断する（ステップＳ２１９）。
【０１３３】
用紙種類パッチのステップ値が同一のステップ値である場合（ステップＳ２１８；Ｙ）、制御部１は、全ページパッチ及び指定ページパッチの情報に基づいて、全データを取得したか否か判断する（ステップＳ２２０）。
【０１３４】
全データを取得した場合（ステップＳ２１９；Ｙ）、制御部１は、比較した電圧値と濃度値とは同一性があるものと判断して（ステップＳ２２０）、本処理を終了する。
【０１３５】
一方、ＵＳＢメモリ５１が接続されていない場合（ステップＳ２０１；Ｎ）、又はＵＳＢメモリ５１に比較対象のヘッダ情報がない場合（ステップＳ２０８；Ｎ）、制御部１は、操作表示部２によりエラー表示をする（ステップＳ２２１）。
また、ステップ値の比較処理において同一でない場合（ステップＳ２１５〜Ｓ２１８；Ｎ）、又は全データを取得していない場合（ステップＳ２１９；Ｎ）、制御部１は、ステップＳ２０８に移行する。
【０１３６】
図２５に、電圧濃度変換テーブルが登録された後の用紙カテゴリのリスト選択画面Ｇ２０を示す。
リスト選択画面Ｇ２０は、リスト選択画面Ｇ１８と同一の構成及び内容である。ここでは、電圧濃度変換テーブルが用紙カテゴリに登録されたため、用紙カテゴリのリストの一に「測色データ読み込み待ち状態です」等のメッセージが削除され、用紙カテゴリの名称のみが表示される。
【０１３７】
図２６を参照して、リンク解除処理について説明する。
なお、図１３で説明したように、トレイ用紙プロファイル又は用紙プロファイルは、用紙カテゴリとリンクしている。用紙カテゴリのＮｏ．１〜Ｎｏ．１０のうち、何れかの用紙カテゴリが削除又は上書き登録される場合、削除又は上書き登録時にリンクされているトレイ用紙プロファイル又は用紙プロファイルのリンク設定を削除する必要がある。
【０１３８】
制御部１は、トレイ用紙プロファイルが削除又は上書き登録の対象となっている用紙カテゴリとリンクされているか否か判断する（ステップＳ３１）。
【０１３９】
リンクされている場合（ステップＳ３１；Ｙ）、制御部１は、トレイ用紙プロファイルから用紙カテゴリへのリンク設定を削除する（ステップＳ３２）。
リンクされていない場合（ステップＳ３１；Ｎ）、制御部１は、ステップＳ３３に移行する。
【０１４０】
制御部１は、既に登録済みのトレイ用紙プロファイルが他に存在するか否か判断する（ステップＳ３３）。
既に登録済みのトレイ用紙プロファイルが他に存在する場合（ステップＳ３３；Ｙ）、制御部１は、他の登録済みのトレイ用紙プロファイルを読み込み（ステップＳ３４）、ステップＳ３１に移行する。
既に登録済みのトレイ用紙プロファイルが他に存在しない場合（ステップＳ３３；Ｎ）、制御部１は、ステップＳ３５に移行する。
【０１４１】
制御部１は、用紙プロファイルが削除又は上書き登録の対象となっている用紙カテゴリとリンクされているか否か判断する（ステップＳ３５）。
【０１４２】
リンクされている場合（ステップＳ３５；Ｙ）、制御部１は、用紙プロファイルから用紙カテゴリへのリンク設定を削除する（ステップＳ３６）。
リンクされていない場合（ステップＳ３５；Ｎ）、制御部１は、ステップＳ３７に移行する。
【０１４３】
制御部１は、既に登録済みの用紙プロファイルが他に存在するか否か判断する（ステップＳ３７）。
既に登録済みの用紙プロファイルが他に存在する場合（ステップＳ３７；Ｙ）、制御部１は、他の登録済みの用紙プロファイルを読み込み（ステップＳ３８）、ステップＳ３５に移行する。
既に登録済みの用紙プロファイルが他に存在しない場合（ステップＳ３７；Ｎ）、制御部１は、リンク解除処理を終了する。
【０１４４】
図２７を参照して、用紙プロファイルのリンク設定処理について説明する。
リンク設定処理により、図１３で説明したように、用紙プロファイルと用紙カテゴリとをリンクさせることができる。
まず、制御部１は、操作表示部２に起動時画面を表示する（ステップＳ４１）。
【０１４５】
図２８に、起動時画面Ｇ３１を示す。
起動時画面Ｇ３１は、起動時画面Ｇ１１（図１５参照）と同一の構成及び内容である。
起動時画面Ｇ３１には、画面左下側に「用紙設定」ボタンが押下可能に表示される。
【０１４６】
制御部１は、起動時画面Ｇ３１において、用紙設定ボタンが押下されたか否か判断する（ステップＳ４２）。
【０１４７】
用紙設定ボタンが押下されていない場合（ステップＳ４２；Ｎ）、制御部１は、起動時画面Ｇ３１を継続して表示する。
用紙設定ボタンが押下された場合（ステップＳ４２；Ｙ）、制御部１は、用紙設定画面を表示する（ステップＳ４３）。
【０１４８】
図２９に、用紙設定画面Ｇ３２を示す。
画面左側には、トレイ１〜トレイ９までの合計９個の「トレイ」ボタンが選択可能に表示される。また、画面右下側には、「設定変更」ボタンが押下可能に表示される。
【０１４９】
制御部１は、用紙設定画面Ｇ３２において、トレイ１〜トレイ９までのうち何れかのトレイが選択され、「設定変更」ボタンが押下されたか否か判断する（ステップＳ４４）。
【０１５０】
設定変更ボタンが押下されていない場合（ステップＳ４４；Ｎ）、制御部１は、用紙設定画面Ｇ３２を継続して表示する。
設定変更ボタンが押下された場合（ステップＳ４４；Ｙ）、制御部１は、個別設定変更画面を表示する（ステップＳ４５）。
【０１５１】
図３０に、個別設定変更画面Ｇ３３を示す。
個別設定変更画面Ｇ３３は、個別設定変更画面Ｇ２（図９参照）と同一の構成及び内容である。画面左側には、「出力紙濃度調整」ボタンが押下可能に表示される。また、「出力紙濃度調整」ボタンが押下状態の場合、画面左側に「デフォルト補正値」ボタン、「用紙カテゴリ」ボタン及び「ＯＦＦ」ボタンが押下可能に表示される。
【０１５２】
制御部１は、個別設定変更画面Ｇ３３において、「用紙カテゴリ」ボタンが押下されたか否か判断する（ステップＳ４６）。
【０１５３】
用紙カテゴリボタンが押下されていない場合（ステップＳ４６；Ｎ）、制御部１は、個別設定変更画面Ｇ３３を継続して表示する。
用紙カテゴリボタンが押下された場合（ステップＳ４６；Ｙ）、制御部１は、用紙カテゴリ選択画面を表示する（ステップＳ４７）。
【０１５４】
図３１に、用紙カテゴリ選択画面Ｇ３４を示す。
用紙カテゴリ選択画面Ｇ３４は、リスト選択画面Ｇ２０（図２５参照）と同一の構成及び内容である。画面中央には、用紙カテゴリが選択可能に表示される。また、画面下側には、「ＯＫ」ボタンが押下可能に表示される。
【０１５５】
制御部１は、用紙カテゴリ選択画面Ｇ３４において、用紙カテゴリが選択され、「ＯＫ」ボタンが押下されたか否か判断する（ステップＳ４８）。
【０１５６】
ＯＫボタンが押下されていない場合（ステップＳ４８；Ｎ）、制御部１は、用紙カテゴリ選択画面Ｇ３４を継続して表示する。
ＯＫボタンが押下された場合（ステップＳ４８；Ｙ）、制御部１は、個別設定変更画面Ｇ３３を再度表示する（ステップＳ４９）。
【０１５７】
図３２に、再度表示された個別設定変更画面Ｇ３５を示す。
再度表示された個別設定変更画面Ｇ３５は、個別設定変更画面Ｇ３３（図３０参照）と同一の構成及び内容である。個別設定変更画面Ｇ３５では、「出力紙濃度調整」ボタン及び「用紙カテゴリ」ボタンが押下状態で表示される。また、画面下側には「ＯＫ」ボタンが押下可能に表示される。
【０１５８】
制御部１は、個別設定変更画面Ｇ３５において、「ＯＫ」ボタンが押下されたか否か判断する（ステップＳ５０）。
【０１５９】
ＯＫボタンが押下されていない場合（ステップＳ５０；Ｎ）、制御部１は、個別設定変更画面Ｇ３５を継続して表示する。
ＯＫボタンが押下された場合（ステップＳ５０；Ｙ）、制御部１は、用紙カテゴリ選択画面Ｇ３４において選択された用紙カテゴリとリンクするように、用紙プロファイルにリンク設定を登録し（ステップＳ５１）、用紙プロファイルのリンク設定処理を終了する。
【０１６０】
図３３を参照して、用紙プロファイルの登録処理について説明する。
用紙プロファイルの登録処理により、最大５００個までの用紙プロファイルを予め登録しておくことができる。
まず、制御部１は、操作表示部２に設定メニュー画面を表示する（ステップＳ６１）。
【０１６１】
図３４に、設定メニュー画面Ｇ４１を示す。
画面右側には、「ユーザ設定」ボタンが押下可能に表示される。
【０１６２】
制御部１は、設定メニュー画面Ｇ４１において、「ユーザ設定」ボタンが押下され、続けて「環境設定」ボタン、「給紙トレイ設定」ボタン（何れも、ここでは図示省略）が順に押下されたか否か判断する（ステップＳ６２）。
【０１６３】
最後の給紙トレイ設定ボタンが押下されていない場合（ステップＳ６２；Ｎ）、制御部１は、設定メニュー画面Ｇ４１を継続して表示する。
最後の給紙トレイ設定ボタンが押下された場合（ステップＳ６２；Ｙ）、制御部１は、給紙トレイ設定画面を表示する（ステップＳ６３）。
【０１６４】
図３５に、給紙トレイ設定画面Ｇ４２を示す。
画面左側には、設定メニューから始まり、ユーザ設定、環境設定を経て、給紙トレイ設定に遷移してきた状態が表示される。また、画面右側には、「用紙設定」ボタンが押下可能に表示される。
【０１６５】
制御部１は、給紙トレイ設定画面Ｇ４２において、「用紙設定」ボタンが押下されたか否か判断する（ステップＳ６４）。
【０１６６】
用紙設定ボタンが押下されていない場合（ステップＳ６４；Ｎ）、制御部１は、給紙トレイ設定画面Ｇ４２を継続して表示する。
用紙設定ボタンが押下された場合（ステップＳ６４；Ｙ）、制御部１は、用紙プロファイル登録画面を表示する（ステップＳ６５）。
【０１６７】
図３６に、用紙プロファイル登録画面Ｇ４３を示す。
画面中央には、Ｎｏ．１〜Ｎｏ．５００まで合計５００個の用紙プロファイルが選択可能に表示される。また、画面下側には、「追加／編集」ボタンが押下可能に表示される。
【０１６８】
制御部１は、用紙プロファイル登録画面Ｇ４３において、用紙プロファイルが選択され、「追加／編集」ボタンが押下されたか否か判断する（ステップＳ６６）。
【０１６９】
追加／編集ボタンが押下されていない場合（ステップＳ６６；Ｎ）、制御部１は、用紙プロファイル登録画面Ｇ４３を継続して表示する。
追加／編集ボタンが押下された場合（ステップＳ６６；Ｙ）、制御部１は、用紙条件登録画面を表示する（ステップＳ６７）。
【０１７０】
図３７に、用紙条件登録画面Ｇ４４を示す。
用紙条件登録画面Ｇ４４は、個別設定変更画面Ｇ２（図９参照）と同一の構成及び内容である。画面左側には、「出力紙濃度調整」ボタンが押下可能に表示される。また、「出力紙濃度調整」ボタンが押下状態の場合、画面左側に「デフォルト補正値」ボタン、「用紙カテゴリ」ボタン及び「ＯＦＦ」ボタンが押下可能に表示される。
【０１７１】
制御部１は、用紙条件登録画面Ｇ４４において、「出力紙濃度調整」及び「用紙カテゴリ」が選択され、「ＯＫ」ボタンが押下されたか否か判断する（ステップＳ６８）。
【０１７２】
ＯＫボタンが押下されていない場合（ステップＳ６８；Ｎ）、制御部１は、用紙条件登録画面Ｇ４４を継続して表示する。
ＯＫボタンが押下された場合（ステップＳ６８；Ｙ）、制御部１は、用紙カテゴリ選択画面を再度表示する（ステップＳ６９）。
【０１７３】
図３８に、用紙カテゴリ選択画面Ｇ４５を示す。
用紙カテゴリ選択画面Ｇ４５は、用紙カテゴリ選択画面Ｇ３３（図３０参照）と同一の構成及び内容である。画面中央には、用紙カテゴリが選択可能に表示される。ここで表示されている用紙カテゴリは、ユーザが予め登録しておいた用紙カテゴリである。また、画面下側には、「ＯＫ」ボタンが押下可能に表示される。
【０１７４】
制御部１は、用紙カテゴリ選択画面Ｇ４５において、用紙カテゴリが選択され、「ＯＫ」ボタンが押下されたか否か判断する（ステップＳ７０）。
【０１７５】
ＯＫボタンが押下されていない場合（ステップＳ７０；Ｎ）、制御部１は、用紙カテゴリ選択画面Ｇ４５を継続して表示する。
ＯＫボタンが押下された場合（ステップＳ７０；Ｙ）、制御部１は、用紙条件登録画面を再度表示する（ステップＳ７１）。
【０１７６】
図３９に、再度表示された用紙条件登録画面Ｇ４６を示す。
再度表示された用紙条件登録画面Ｇ４６は、用紙条件登録画面Ｇ４４（図３７参照）と同一の構成及び内容である。用紙条件登録画面Ｇ４６では、「出力紙濃度調整」ボタン及び「用紙カテゴリ」ボタンが押下状態で表示される。また、画面下側には「ＯＫ」ボタンが押下可能に表示される。
【０１７７】
制御部１は、用紙条件登録画面Ｇ４６において、「ＯＫ」ボタンが押下されたか否か判断する（ステップＳ７２）。
【０１７８】
ＯＫボタンが押下されていない場合（ステップＳ７２；Ｎ）、制御部１は、用紙条件登録画面Ｇ４６を継続して表示する。
ＯＫボタンが押下された場合（ステップＳ７２；Ｙ）、制御部１は、用紙プロファイルを登録して（ステップＳ７３）、用紙プロファイルの登録処理を終了する。
【０１７９】
以上のように、本実施形態によれば、濃度補正用チャートの種別ごとに異なる濃度値で形成された識別用パッチを正規化し、正規化した電圧値及び濃度値の両者を比較することで、電圧値及び濃度値が同一の濃度補正用チャートから取得されたものであるか否かを判断することができる。
【０１８０】
また、識別用パッチは、最大濃度値で正規化して形成し、この識別用パッチから取得された電圧値及び濃度値を最大濃度値で正規化することで、電圧値及び濃度値の両者を比較することができる。
【０１８１】
また、識別用パッチは、濃度補正用チャートの全ページ数、指定ページ番号、用紙種類、スクリーン又は機種、の情報のうち少なくとも一の情報を含ませて形成される。すなわち、識別用パッチは、濃度補正用チャートの種別ごとに、全ページ数、指定ページ番号、用紙種類、スクリーン又は機種の情報等を示す濃度値で形成される。なお、本実施形態においては、例えば濃度補正用チャート１枚目（Ａ４−１）のＹ色の識別用パッチは、登録番号を示す濃度値で形成されるとして説明しているが、これに限られない。識別用パッチは、濃度補正用チャートの種別ごとに（Ａ４−１〜４）、固有の情報を示す濃度値で形成されればよい。
【０１８２】
また、正規化した後の電圧値及び濃度値の両者を比較して、用紙種類、スクリーン種類、及び機種を示す情報が全て一致した場合、両者は同一の濃度補正用チャートから取得された電圧値及び濃度値であるものと判断することができる。なお、本実施形態においては、登録番号、全ページ数、指定ページ数、及び用紙種類を示す情報が全て一致した場合、両者は同一の濃度補正用チャートから取得された電圧値及び濃度値であるものと判断している（図２４参照）。
【０１８３】
また、正規化した後の電圧値及び濃度値の両者を比較して、一致していない場合、新たに濃度値を入力し、新たに入力した濃度値を正規化し、新たに正規化した濃度値とはじめに入力及び正規化した電圧値とを比較するとしてもよい。
【０１８４】
また、正規化した後の電圧値及び濃度値の両者を比較して、一致していない場合、操作表示部２によりエラー表示することができる（図２４参照）。
【０１８５】
また、正規化した後の電圧値及び濃度値の両者を比較する際、識別用パッチに含まれる全ページ数及び指定ページ数を示す情報に基づいて、比較対象である正規化した後の電圧値及び濃度値の全ての情報が存在するか否かを判断することができる。全ての情報が存在しない場合、操作表示部２によりエラー表示することができる（図２４参照）。
【０１８６】
また、画像形成装置１０は、２台の画像形成装置を直列に接続して構成される直列タンデム方式の画像形成装置のうち、上流側又は下流側に設置した画像形成装置とすることができる。この場合、識別用パッチに機種情報を含ませることで、上流側又は下流側のうち、何れの画像形成装置によって印刷された濃度補正用チャートなのかを判断することができる。
【符号の説明】
【０１８７】
１０        画像形成装置
１１        画像形成部
１２        給紙部
１３〜１６  感光体ドラム
１７        中間転写ベルト
１８        転写ローラ
１９        定着装置
２１        リレーユニット
２２        カラーセンサ
１          制御部
２          操作表示部
３          スキャナ部
４          プリンタ部
５          プリンタコントローラ
【図１】
2012089965.tif 000003
【図２】
2012089965.tif 000004
【図３】
2012089965.tif 000005
【図４】
2012089965.tif 000006
【図５】
2012089965.tif 000007
【図６】
2012089965.tif 000008
【図７】
2012089965.tif 000009
【図８】
2012089965.tif 000010
【図９】
2012089965.tif 000011
【図１０】
2012089965.tif 000012
【図１１】
2012089965.tif 000013
【図１２】
2012089965.tif 000014
【図１３】
2012089965.tif 000015
【図１４】
2012089965.tif 000016
【図１５】
2012089965.tif 000017
【図１６】
2012089965.tif 000018
【図１７】
2012089965.tif 000019
【図１８】
2012089965.tif 000020
【図１９】
2012089965.tif 000021
【図２０】
2012089965.tif 000022
【図２１】
2012089965.tif 000023
【図２２】
2012089965.tif 000024
【図２３】
2012089965.tif 000025
【図２４】
2012089965.tif 000026
【図２５】
2012089965.tif 000027
【図２６】
2012089965.tif 000028
【図２７】
2012089965.tif 000029
【図２８】
2012089965.tif 000030
【図２９】
2012089965.tif 000031
【図３０】
2012089965.tif 000032
【図３１】
2012089965.tif 000033
【図３２】
2012089965.tif 000034
【図３３】
2012089965.tif 000035
【図３４】
2012089965.tif 000036
【図３５】
2012089965.tif 000037
【図３６】
2012089965.tif 000038
【図３７】
2012089965.tif 000039
【図３８】
2012089965.tif 000040
【図３９】
2012089965.tif 000041